(57)【要約】【課題】ホルダから軸受が外れることを抑制できる印刷装置を提供する。【解決手段】印刷装置は、回転軸６２を有するプラテンローラと、回転軸６２を回転可能に支持する軸受６Ａと、軸受６Ａが嵌合する嵌合部８Ａを有するホルダ８０とを備える。軸受６Ａは略円筒状をなし、貫通孔の中心線Ｐの延びる中心線方向からみたときに略Ｄ字形状を有し、外周面の一部に当接部６７が形成される。嵌合部８Ａは、先端に開口部８７１を有し、軸受６Ａの外周面が嵌合可能な受け部８６であって、中心線方向から見たときに略Ｕ字形状を有する受け部８６と、当接部６７が当接可能な係止部８７とを有する。軸受６Ａが嵌合部８Ａに嵌合した状態で、開口部８７１に向かう方向の外力が軸受６Ａに作用したとき、係止部８７は、当接部６７が当接して押圧されることで開口部８７１が小さくなる方向に変形する。【選択図】図６
2018069544.tif 000002
【特許請求の範囲】
【請求項１】
回転軸を有するプラテンローラと、
前記回転軸の両端部をそれぞれ回転可能に支持する軸受と、
前記軸受が嵌合する嵌合部を有するホルダと
を備えた印刷装置であって、
前記軸受は、
前記回転軸が貫通する貫通孔を有する略円筒状をなし、前記貫通孔の中心線の延びる中心線方向からみたときに略Ｄ字形状を有し、外周面の一部に当接部が形成され、
前記嵌合部は、先端に開口部を有し、
前記軸受の前記外周面が嵌合可能な受け部であって、前記中心線方向から見たときに略Ｕ字形状を有する受け部と、
前記受け部の先端から内側に延び、前記当接部が当接可能な係止部と、
を有し、
前記軸受が前記嵌合部に嵌合した状態で、前記開口部に向かう方向の外力が前記軸受に作用したとき、前記係止部は、前記当接部が当接して押圧されることで前記開口部が小さくなる方向に変形し、前記軸受を移動不能に係止することを特徴とする印刷装置。
【請求項２】
前記係止部は、
前記当接部が当接する面であって、前記開口部に向かう程、前記受け部の内側に向けて傾斜する第１傾斜面を有し、
前記当接部は、
前記第１傾斜面と当接可能な第２傾斜面を有することを特徴とする請求項１に記載の印刷装置。
【請求項３】
前記係止部は、前記開口部を挟んで一対の係止部を有し、
前記当接部は、一対の当接部を有し、
前記一対の係止部及び前記一対の当接部は、それぞれ、前記開口部の中央の点と前記中心線とを通る仮想平面に対して対称的に配置されることを特徴とする請求項１又は２に記載の印刷装置。
【請求項４】
前記当接部に、前記係止部側に突出する第１突起部が設けられ、
前記係止部は、前記第１突起部に当接する第１傾斜面を有することを特徴とする請求項１に記載の印刷装置。
【請求項５】
前記係止部に、前記当接部側に突出する第２突起部が設けられ、
前記当接部は、前記第２突起部に当接する第２傾斜面を有することを特徴とする請求項１に記載の印刷装置。
【請求項６】
前記開口部は、前記回転軸の外径よりも大きく形成され、前記回転軸は、前記開口部から前記受け部に挿入可能であることを特徴とする請求項１から５の何れかに記載の印刷装置。
【発明の詳細な説明】
【技術分野】
【０００１】
本発明は、印刷装置に関する。
【背景技術】
【０００２】
携帯可能な印刷装置がある。例えば特許文献１は、ベルトクリップを備えた印刷装置を開示する。ユーザは、ベルトクリップを腰ベルトに装着することで、印刷装置を携帯して使用する。特許文献１に記載の印刷装置は、例えば特許文献２に記載の印刷装置の構成を有すると考えられる。特許文献２に記載の印刷装置は、開閉可能に支持された後カバーを備える。後カバーには、プラテンローラの回転軸の両端部を回転可能に支持する支持筒（軸受に相当）が設けられている。より具体的には、詳しく図示されていないが、支持筒はホルダに嵌合されて支持され、支持筒が嵌合されたホルダは、後カバーにねじで固定されていると考えられる。
【先行技術文献】
【特許文献】
【０００３】
【特許文献１】特開２０１５−１６０４２７号公報
【特許文献２】特開２０１５−２０８９２０号公報
【発明の概要】
【発明が解決しようとする課題】
【０００４】
ベルトグリップの着脱時、ユーザが誤って印刷装置を落としてしまう場合がある。この場合、落下時の印刷装置の高さによっては、落下の衝撃で、支持筒がホルダから外れる可能性がある。
【０００５】
本発明の目的は、ホルダから軸受が外れることを抑制できる印刷装置を提供することである。
【課題を解決するための手段】
【０００６】
本発明に係る印刷装置は、回転軸を有するプラテンローラと、前記回転軸の両端部をそれぞれ回転可能に支持する軸受と、前記軸受が嵌合する嵌合部を有するホルダとを備えた印刷装置であって、前記軸受は、前記回転軸が貫通する貫通孔を有する略円筒状をなし、前記貫通孔の中心線の延びる中心線方向からみたときに略Ｄ字形状を有し、外周面の一部に当接部が形成され、前記嵌合部は、先端に開口部を有し、前記軸受の前記外周面が嵌合可能な受け部であって、前記中心線方向から見たときに略Ｕ字形状を有する受け部と、前記受け部の先端から内側に延び、前記当接部が当接可能な係止部と、を有し、前記軸受が前記嵌合部に嵌合した状態で、前記開口部に向かう方向の外力が前記軸受に作用したとき、前記係止部は、前記当接部が当接して押圧されることで前記開口部が小さくなる方向に変形し、前記軸受を移動不能に係止することを特徴とする。
【０００７】
本発明の印刷装置では、落下に伴い、ホルダの嵌合部に嵌合した状態の軸受に、開口部に向かう方向の外力が作用する場合がある。この場合、印刷装置では、軸受の当接部が嵌合部の係止部に当接することによって、係止部は、開口部が小さくなる方向に変形し、軸受の移動を抑制できる。従って、印刷装置は、軸受に作用する外力によって、軸受が開口部を介して嵌合部から外れることを、係止部が変形することによって抑制できる。
【０００８】
本発明において、前記係止部は、前記当接部が当接する面であって、前記開口部に向かう程、前記受け部の内側に向けて傾斜する第１傾斜面を有し、前記当接部は、前記第１傾斜面と当接可能な第２傾斜面を有してもよい。この場合、係止部は、軸受の当接部が当接した場合、開口部が小さくなる方向に変形し易くなる。従って、印刷装置は、軸受に作用する外力によって軸受が嵌合部から外れることを、開口部をより小さくすることによって効果的に抑制できる。
【０００９】
本発明において、前記係止部は、前記開口部を挟んで一対の係止部を有し、前記当接部は、一対の当接部を有し、前記一対の係止部及び前記一対の当接部は、それぞれ、前記開口部の中央の点と前記中心線とを通る仮想平面に対して対称的に配置されてもよい。この場合、一対の当接部は、仮想平面の両側で、一対の係止部に当接する。又、一対の当接部が一対の係止部に当接した場合、一対の係止部は仮想平面に対して均等に変形する。従って、印刷装置は、軸受に作用する外力によって軸受が嵌合部から外れることを、仮想平面に対して開口部を均等に小さくすることによって効果的に抑制できる。
【００１０】
本発明において、前記当接部に、前記係止部側に突出する第１突起部が設けられ、前記係止部は、前記第１突起部に当接する第１傾斜面を有してもよい。この場合、係止部の第１傾斜面に当接部の第１突起部が当接することによって、係止部のうち第１突起部が当接する部分に力が集中し、係止部は変形し易くなる。従って、印刷装置は、軸受に作用する外力によって軸受が嵌合部から外れることを、係止部を変形し易くすることによって効果的に抑制できる。
【００１１】
本発明において、前記係止部に、前記当接部側に突出する第２突起部が設けられ、前記当接部は、前記第２突起部に当接する第２傾斜面を有してもよい。この場合、係止部の第２突起部に当接部の第１傾斜面が当接することによって、係止部のうち第２突起部の部分に力が集中し、係止部は変形し易くなる。従って、印刷装置は、軸受に作用する外力によって軸受が嵌合部から外れることを、係止部を変形し易くすることによって効果的に抑制できる。
【００１２】
本発明において、前記開口部は、前記回転軸の外径よりも大きく形成され、前記回転軸は、前記開口部から前記受け部に挿入可能であってもよい。この場合、回転軸は、開口部を通過して受け部に挿入可能であるので、受け部の内側に配置させた回転軸に対して、軸受を容易に組み付けることができる。
【図面の簡単な説明】
【００１３】
【図１】第２カバー３が閉塞位置にあるときの印刷装置１の斜視図である。
【図２】第２カバー３が開放位置にあるときの印刷装置１の斜視図である。
【図３】第２カバー３を除いた印刷装置１の斜視図である。
【図４】図１のＡ−Ａ線を矢印方向から見た断面図である。
【図５】プラテンローラ６０、ホルダ８０、及び軸受６の分解斜視図である。
【図６】図１のＢ−Ｂ線を矢印方向から見た断面図、及び、該断面図の部分拡大図である。
【図７】第２カバー３を取り除き、プラテンローラ６０及び軸受６を図示した印刷装置１の斜視図である。
【図８】第１変形例において、図１のＢ−Ｂ線を矢印方向から見た断面図、及び、該断面図の部分拡大図である。
【図９】第２変形例において、図１のＢ−Ｂ線を矢印方向から見た断面図、及び、該断面図の部分拡大図である。
【図１０】第３変形例において、図１のＢ−Ｂ線を矢印方向から見た断面図、及び、該断面図の部分拡大図である。
【発明を実施するための形態】
【００１４】
＜印刷装置１＞
本発明の実施形態について、図面を参照して説明する。印刷装置１は、印刷媒体（感熱紙）に印刷を行うことが可能な感熱式の装置である。印刷装置１は、電池駆動が可能である。例えば印刷装置１は、非図示のベルトクリップを介してベルトに装着されることによって、作業中のユーザに携帯されて使用される。印刷装置１は、ＵＳＢ（登録商標）ケーブルを介して非図示の外部端末に接続可能である。印刷装置１は、外部端末から受信した印刷データに基づいて、印刷媒体に文字、図形等のキャラクタを印刷できる。外部端末は汎用のパーソナルコンピュータ（ＰＣ）である。図１の右下側、左上側、右上側、左下側、上側、及び下側を、夫々、印刷装置１の右側、左側、後側、前側、上側、及び下側と定義する。
【００１５】
図１から図３に示すように、印刷装置１は筐体１０を備える。筐体１０は、前後方向に
長い略直方体の箱状である。筐体１０は、第１カバー２及び第２カバー３を有する。
【００１６】
＜第１カバー２＞
第１カバー２は、筐体１０の前側の壁部２２、右側の壁部２３、左側の壁部２４、後側の壁部２５（図３参照）、下側の壁部２６（図４参照）、及び、上側の壁部のうち前後方向略中央から前側の壁部２１によって箱状に構成される。壁部２３に、レバー穴２３Ｈ及び電池保持部２３Ｂが設けられる。レバー穴２３Ｈは、上下方向に長い矩形状の貫通穴である。レバー２３Ｌは、レバー穴２３Ｈから右側に突出する。レバー２３Ｌは、レバー穴２３Ｈに沿って上下方向に移動可能である。レバー２３Ｌは、後述する第２カバー３の開閉を切り替える。電池保持部２３Ｂは、印刷装置１の電源となる電池を収容し、且つ、収容された電池を保持する。
【００１７】
壁部２１の後側の端部２１Ａの下側に配置された非図示のメインシャーシは、非図示のモータ等を支持する。メインシャーシは、レバー２３Ｌを上下動可能に支持する。図３に示すように、メインシャーシは、壁部２１の端部２１Ａから下側に延びる内壁部２７を有する。内壁部２７のうち、端部２１Ａの下側に、切断刃２１Ｃが設けられる。切断刃２１Ｃは、印刷媒体のうち印刷された部分を切り離すことが可能である。切断刃２１Ｃの下側に、サーマルヘッド２１Ｐが設けられる。サーマルヘッド２１Ｐは、印刷媒体を加熱することによってキャラクタを印刷する。メインシャーシは、支持部７を更に有する。支持部７は、内壁部２７の右端部から後方に延びる支持部７Ａ、及び、内壁部２７の左端部から後方に延びる支持部７Ｂを有する。支持部７は、後述する規制機構９を支持する。支持部７の詳細は後述する。
【００１８】
図３に示すように、後壁部２５には、上側の端部２５Ａよりも上側に突出する２つの支持部２５１が設けられる。一方側の支持部２５１は、端部２５Ａの右端部近傍から上側に突出し、他方側の支持部２５１は、端部２５Ａの左端部近傍から上側に突出する。各支持部２５１は、左右方向に延びる軸部２５２を支持する。各軸部２５２は、対応する支持部２５１から内側に向けて延びる。各軸部２５２には、ばね２５３が装着される。
【００１９】
壁部２１の後側の端部２１Ａ、及び、壁部２３、２４、２５のそれぞれの上側の端部２３Ａ、２４Ａ、２５Ａによって囲まれる部分は、上側から見て略矩形状の開口部２Ａを形成する。開口部２Ａは、第１カバー２内の収容部４０を開放する。収容部４０にはロールホルダ４が収容されて固定される。ロールホルダ４は、印刷媒体が巻回されたロール４Ａ（図２参照）を、左右両側から回転可能に保持する。
【００２０】
＜規制機構９＞
規制機構９は、板状の規制部材９１、９２及び非図示の接続部材を有する。規制部材９１、９２の側面は、それぞれ左右方向を向く。規制部材９１は、内壁部２７の右端部近傍に配置される。規制部材９２は、内壁部２７の左端部近傍に配置される。規制部材９１、９２は、互いに左右方向に離隔する。規制部材９１の上端部に、前側に突出する突出部９１Ａが設けられる。規制部材９２の上端部に、前側に突出する突出部９２Ａが設けられる。規制部材９１、９２は、下端部に設けられた非図示の連結部によって連結する。
【００２１】
図４に示すように、支持部７Ａは、左右方向に延びる軸部７０Ａを保持する。非図示の接続部材及び規制部材９１の下端部は、軸部７０Ａに回転可能に支持される。接続部材は、左右方向において規制部材９１とレバー２３Ｌ（図１参照）との間に配置される。接続部材は、左右両側に突出する軸部７０Ｂを有する。軸部７０Ｂのうち接続部材の左側に突出する部分は、規制部材９１の後端部に設けられた非図示の孔に挿通する。軸部７０Ｂのうち接続部材の右側に突出する部分は、レバー２３Ｌに設けられた非図示の凹部に挿通する。これにより、接続部材は、レバー２３Ｌと規制部材９１とを接続する。軸部７０Ｂは、レバー２３Ｌに対する操作に応じて上下動する。軸部７０Ｂの上下動に応じ、規制部材９１は、軸部７０Ａを中心として回転する。なお、規制部材９１の回転に応じ、規制部材９１と連結部を介して連結する規制部材９２も、同じ方向に回転する。規制部材９１、９２は、接続部材に設けられた非図示のばねによって、右側から見た状態で反時計回りの方向に付勢されている。
【００２２】
なお、以下で説明する回転方向（時計回り方向又は反時計回り方向）は、特段限定のない限り、右側から見た方向を示すものとする。規制部材９１、９２がばねの付勢力に応じて反時計回り方向に回転した状態を、「制限状態」（図３、図４参照）という。規制部材９１、９２がばねの付勢力に反して時計回り方向に回転した状態を、「非制限状態」という。
【００２３】
レバー２３Ｌが上側に移動した場合、規制部材９１、９２は反時計回り方向に回転し、突出部９１Ａ、９２Ａは前側に移動する。レバー２３Ｌが最上位まで移動した状態で、規制部材９１、９２は制限状態になる。図３に示すように、制限状態において、突出部９１Ａは、支持部７Ａの上端部に設けられた凹部７１Ａの上側に配置される。突出部９２Ａは、支持部７Ｂの上端部に設けられた凹部７２Ａの上側に配置される。レバー２３Ｌが下側に移動した場合、規制部材９１、９２は時計回り方向に回転し、突出部９１Ａ、９２Ａは後側に移動する。レバー２３Ｌが最下位まで移動した状態で、規制部材９１、９２は非制限状態になる。突出部９１Ａは、支持部７Ａの凹部７１Ａに対して後側に配置される。突出部９２Ａは、支持部７Ｂの凹部７２Ａに対して後側に配置される。
【００２４】
＜第２カバー３＞
図１、図２に示すように、第２カバー３は、開口部２Ａ（図２参照）を上側から閉塞する位置（以下、「閉塞位置」という。図１参照）と、開口部２Ａを開放する位置（以下、「開放位置」という。図２参照）との間で開閉可能である。以下の説明では、第２カバー３が閉塞位置にあることを前提とし、印刷装置１の各方向を第２カバー３に適用して説明する。第２カバー３は、筐体１０の上壁部のうち前後方向略中央から後側の壁部によって構成される。
【００２５】
図２に示すように、第２カバー３は、蓋板部３１及び側板部３３、３４を有する。蓋板部３１は、第１部分３１Ａ及び第２部分３１Ｂを有する。第１部分３１Ａは湾曲した板状であり、第２部分３１Ｂは平板状である。第１部分３１Ａは、第１カバー２の２つの軸部２５２がそれぞれ挿通される穴を含む突出部３１１を、後端部に有する。第２部分３１Ｂは、第１部分３１Ａの前端部から前側に向けて延びる。側板部３３は、蓋板部３１の右端部に接続し、湾曲しながら下側に向けて延びる。側板部３４は、蓋板部３１の左端部に接続し、湾曲しながら下側に向けて延びる。
【００２６】
＜ホルダ８０＞
第２カバー３の第２部分３１Ｂの内壁の前端部近傍に、ホルダ８０が設けられる。ホルダ８０は、後述するプラテンローラ６０を支持する。図５に示すように、ホルダ８０の形状は左右対称である。ホルダ８０は、第１部分８１、第２部分８２、右壁部８４、及び、左壁部８５を有する。
【００２７】
第１部分８１は、上側から見て左右方向に長い略矩形状である。第１部分８１には、後端部から前側に向けて凹む凹部８１Ａが形成される。第１部分８１の後端部の左右両側には、上下方向に貫通する貫通孔８１Ｂが形成される。第２部分８２は、第１部分８１の前端部に配置され、後述のプラテン６１の形状に沿うように湾曲する。これにより、第２部分８２の前側には、プラテン６１が配置される空間であるプラテン配置部８２Ａが形成される。右壁部８４は、第１部分８１及び第２部分８２のそれぞれの右端部に接続する。右壁部８４は、右側から見て前後方向に長い略矩形状である。右壁部８４は、第２部分８２の前側まで延びる。このため、右壁部８４の前端部の一部は、プラテン配置部８２Ａを右側から覆う。左壁部８５は、第１部分８１及び第２部分８２のそれぞれの左端部に接続する。左壁部８５は、左側から見て前後方向に長い略矩形状である。左壁部８５は、第２部分８２の前側まで延びる。このため、左壁部８５の前端部の一部は、プラテン配置部８２Ａを左側から覆う。以下、右壁部８４のうち、プラテン配置部８２Ａを右側から覆う部分を、「嵌合部８Ａ」という。左壁部８５のうち、プラテン配置部８２Ａを左側から覆う部分を、「嵌合部８Ｂ」という。嵌合部８Ａ、８Ｂを総称して、「嵌合部８」という。
【００２８】
＜嵌合部８＞
嵌合部８Ａ，８Ｂは、互いに左右方向に対向する。嵌合部８Ａ，８Ｂの形状は互いに左右対称である。以下では、嵌合部８Ａのみ説明し、嵌合部８Ｂの説明は省略する。又、以下で説明する嵌合部８Ａの各部位の名称及び符号は、そのまま嵌合部８Ｂの各部位の名称及び符号として適用される。
【００２９】
図６に示すように、嵌合部８Ａは、受け部８６及び一対の係止部８７（係止部８７Ａ、８７Ｂ）を有する。受け部８６は、左右方向に所定の長さを有する壁部である。受け部８６を左右方向から見たときの形状は、略Ｕ字形状である。より詳細には、受け部８６を右側から見たときの形状は、略Ｕ字を反時計回りに９０度回転させた形状と一致する。受け部８６には、後側に向けて凹む凹部が形成される。該凹部の内壁面８６０のうち、右側から見たときに円弧状となる湾曲部分を、「第１内壁面８６１」という。内壁面８６０のうち第１内壁面８６１の２つの端部から前側に向けて延びる平面部分を、それぞれ「第２内壁面８６２、８６３」という。第２内壁面８６２は、第１内壁面８６１の上側の端部から、上側に僅かに傾斜しながら延びる。第２内壁面８６３は、第１内壁面８６１の下側の端部から、下側に僅かに傾斜しながら延びる。嵌合部８Ａを右側から見た場合において、前後方向に対して第２内壁面８６２、８６３のなす角度を、それぞれ第３角度θ３とする。なお、図６において、前後方向に対して第２内壁面８６３のなす第３角度θ３のみ示し、前後方向に対して第２内壁面８６２のなす第３角度θ３の図示は省略する。
【００３０】
一対の係止部８７は、受け部８６の２つの先端部（前端部）から、内側に向けて延びる。より詳細には、係止部８７Ａは、受け部８６の２つの先端部のうち上側から、下側に向けて延びる。係止部８７Ｂは、受け部８６の２つの先端部のうち下側から、上側に向けて延びる。係止部８７Ａの下端部（以下、「開口端８７１Ａ」という。）と、係止部８７Ｂの上端部（以下、「開口端８７１Ｂ」という。）とは、上下方向に離隔して対向する。開口端８７１Ａ、８７１Ｂは、受け部８６の内壁面８６０で囲まれた空間（以下、「受け部８６の内側」という。）に連通する開口部８７１を形成する。一対の係止部８７は、開口部８７１を挟んで配置される。以下、開口端８７１Ａ、８７１Ｂ間の間隔、即ち、開口部８７１の上下方向の間隔を、Ｌ１と表記する。
【００３１】
係止部８７Ａの後側の壁面（以下「第１傾斜面８７２Ａ」という。）は、下側に向けて後側に僅かに傾斜する。係止部８７Ｂの後側の壁面（以下「第１傾斜面８７２Ｂ」という。）は、上側に向けて後側に僅かに傾斜する。言い換えれば、第１傾斜面８７２Ａ、８７２Ｂは、それぞれ、開口部８７１に向かう程、受け部８６の内側に向けて傾斜する。以下、右側から見た場合において、上下方向に対して第１傾斜面８７２Ａ、８７２Ｂのなす角度を、第１角度θ１とする。なお、図６において、上下方向に対して第１傾斜面８７２Ｂのなす第１角度θ１のみ示し、上下方向に対して第１傾斜面８７２Ａのなす第１角度θ１の図示は省略する。
【００３２】
＜プラテンローラ６０＞
図５に示すように、プラテンローラ６０は、プラテン６１及び回転軸６２を有する。プラテン６１は、左右方向に延びる円筒状の部材である。プラテン６１の左右方向の長さは、嵌合部８Ａ，８Ｂの間の距離よりも僅かに小さい。プラテン６１は、プラテン配置部８２Ａ、即ち、嵌合部８Ａ，８Ｂによって左右両側から覆われた部分に配置される。プラテン６１は、中心を左右方向に貫通する非図示の貫通孔を有する。回転軸６２は、左右方向に延び、プラテン６１の貫通孔を貫通する円柱状の軸部材である。回転軸６２の左右両端部は、プラテン６１の左右両端から外側に突出する。プラテン６１は回転軸６２に固定され、一体的に回転する。以下、回転軸６２の外径を、Ｌ２（図６参照）と表記する。図６に示すように、回転軸６２の外径Ｌ２は、開口部８７１の上下方向の間隔Ｌ１よりも小さい。
【００３３】
＜軸受６＞
図５に示すように、プラテンローラ６０の回転軸６２の左右両端部に、軸受６が設けられる。軸受６は、軸受６Ａ，６Ｂを有する。軸受６Ａは、回転軸６２のうち、プラテン６１から右側に突出する部分に設けられる。軸受６Ｂは、回転軸６２のうち、プラテン６１から左側に突出する部分に設けられる。軸受６Ａ、６Ｂは、回転軸６２に対して回転可能である。軸受６Ａ，６Ｂの形状は互いに左右対称である。以下では、軸受６Ａのみ説明し、軸受６Ｂの説明は省略する。又、以下で説明する軸受６Ａの各部位の名称及び符号は、そのまま軸受６Ｂの各部位の名称及び符号として適用される。
【００３４】
軸受６Ａは、回転軸６２が挿通される貫通孔６４を有する略円筒状の部材である。貫通孔６４の中心を通る中心線Ｐは、左右方向に延びる。中心線Ｐは、プラテン６１、及び、回転軸６２のそれぞれの中心を通過する。
【００３５】
軸受６Ａは、小径部６６及び大径部６８を有する。小径部６６は略円筒状であり、軸受６Ａのうち左側に配置される。小径部６６の外周面のうち前側の一部に、凸状の突起部６９が設けられる。小径部６６の外周面のうち、突起部６９よりも上側及び下側のそれぞれに、後述する一対の当接部６７（６７Ａ、６７Ｂ）が設けられる。大径部６８は円筒状であり、軸受６Ａのうち右側に配置される。大径部６８の外径は小径部６６の外径よりも大きい。大径部６８は小径部６６の右面に連結する。
【００３６】
図６に示すように、一対の当接部６７は、軸受６Ａの小径部６６の外周面から外側に突出する。なお、図６は、軸受６Ａの小径部６６のうち左右方向において突起部６９（図５参照）が設けられていない左端近傍部分（以下、「特定部」という。）の断面図を示している。このため、図６において突起部６９は示されていない。当接部６７Ａは、小径部６６の外周面のうち前斜め上側の部分から、外側に突出する。当接部６７Ｂは、小径部６６の外周面のうち前斜め下側の部分から、外側に突出する。軸受６Ａの特定部を左右方向から見たときの形状は、略Ｄ字形状である。
【００３７】
軸受６Ａの外周面６６０は、第１外周面６６１、第２外周面６６２、６６３、第２傾斜面６７２Ａ、６７２Ｂを有する。第１外周面６６１は、軸受６Ａの外周面６６０のうち、右側から見たときに円弧状となる湾曲部分である。より詳細には、第１外周面６６１は、軸受６Ａの前後方向略中央から後側の湾曲部分と、当接部６７Ａと当接部６７Ｂとに挟まれた前側の湾曲部分である。第１外周面６６１の曲率は、受け部８６の第１内壁面８６１の曲率と略同一である。第２外周面６６２、６６３は、軸受６Ａの外周面６６０のうち、第１外周面６６１の後側の湾曲部分の２つの端部から前側に向けて延びる平面部分である。第２外周面６６２は、第１外周面６６１の後側の湾曲部分の上側の端部から延びる。第２外周面６６２の前端部は、当接部６７Ａの上側の面を構成する。第２外周面６６３は、第１外周面６６１の後側の湾曲部分の下側の端部から延びる。第２外周面６６３の前端部は、当接部６７Ｂの下側の面を構成する。軸受６Ａを右側から見た場合において、第２外周面６６２、６６３は前後方向と略平行に延びる。このため、前後方向に対して第２外周面６６２、６６３のなす角度は、受け部８６の第２内壁面８６２、８６３のなす第３角度θ３よりも小さい。
【００３８】
第２傾斜面６７２Ａは、第２外周面６６２の前端部から下側に向けて、後側に僅かに傾斜しながら延びる。第２傾斜面６７２Ａは、当接部６７Ａの前側の面を構成する。第２傾斜面６７２Ｂは、第２外周面６６３の前端部から上側に向けて、後側に僅かに傾斜しながら延びる。第２傾斜面６７２Ｂは、当接部６７Ｂの前側の面を構成する。以下、右側から見た場合において、上下方向に対して第２傾斜面６７２Ａ、６７２Ｂのなす角度を、それぞれ第２角度θ２とする。なお、図６において、上下方向に対して第２傾斜面６７２Ｂのなす第２角度θ２のみ示し、上下方向に対して第２傾斜面６７２Ａのなす第２角度θ２の図示は省略する。第２角度θ２は、一対の係止部８７の第１傾斜面８７２Ａ、８７２Ｂのなす第１角度θ１と略同一である。
【００３９】
＜ホルダ８０に対するプラテンローラ６０の組付け＞
図５に示すように、プラテンローラ６０は、ホルダ８０に前側から組付けられる。回転軸６２の右端部は、嵌合部８Ａの開口部８７１（図６参照）から挿入され、嵌合部８Ａの受け部８６の内側に配置される。回転軸６２の右端部は、嵌合部８Ａから右側に突出する。回転軸６２の左端部は、嵌合部８Ｂの開口部８７１から挿入され、嵌合部８Ｂの受け部８６の内側に配置される。回転軸６２の左端部は、嵌合部８Ｂから左側に突出する。なお、図６に示すように、開口部８７１の間隔Ｌ１は、回転軸６２の外径Ｌ２よりも大きい。このため、回転軸６２は、開口部８７１を介して受け部８６の内側に容易に挿入可能である。
【００４０】
図５に示すように、軸受６Ａは、回転軸６２の右端部が軸受６Ａの貫通孔６４に左側から挿通されることによって、回転軸６２の右端部に組付けられる。軸受６Ｂは、回転軸６２の左端部が軸受６Ｂの貫通孔６４に右側から挿通されることによって、回転軸６２の左端部に組付けられる。図６に示すように、軸受６の小径部６６の外周面６６０は、受け部８６の内壁面８６０に嵌合することによって、嵌合部８に嵌合する。軸受６は、嵌合部８に嵌合した状態で、プラテンローラ６０の回転軸６２の左右両端部を回転可能に支持する。
【００４１】
受け部８６の第１内壁面８６１及び軸受６の第１外周面６６１の後側の湾曲部分は、径方向に対向する。第１内壁面８６１と第１外周面６６１とのそれぞれの曲率は略同一であるので、それぞれの面は密着可能である。受け部８６の第２内壁面８６２及び軸受６の第２外周面６６２、並びに、受け部８６の第２内壁面８６３及び軸受６の第２外周面６６３は、それぞれ上下方向に対向する。受け部８６の第２内壁面８６２、８６３のなす第３角度θ３は、前後方向に対して軸受６Ａの第２外周面６６２、６６３のなす角度よりも大きいので、第２内壁面８６２及び第２外周面６６２、並びに、第２内壁面８６３及び第２外周面６６３の間には隙間が形成される。
【００４２】
係止部８７Ａの第１傾斜面８７２Ａ及び軸受６の第２傾斜面６７２Ａ、並びに、係止部８７Ｂの第１傾斜面８７２Ｂ及び軸受６の第２傾斜面６７２Ｂは、それぞれ前後方向に対向する。一対の係止部８７及び一対の当接部６７は、第１傾斜面８７２Ａ及び第２傾斜面６７２Ａ、並びに、第１傾斜面８７２Ｂ及び第２傾斜面６７２Ｂにおいて、それぞれ当接可能である。第１傾斜面８７２Ａ、８７２Ｂのなす第１角度θ１と、第２傾斜面６７２Ａ、６７２Ｂのなす第２角度θ２は略同一であるので、第１傾斜面８７２Ａ及び第２傾斜面６７２Ａ、並びに、第１傾斜面８７２Ｂ及び第２傾斜面６７２Ｂはそれぞれ密着する。
【００４３】
軸受６が嵌合部８に嵌合した状態で、係止部８７Ａは中心線Ｐよりも上側に配置され、係止部８７Ｂは中心線Ｐよりも下側に配置される。同様に、当接部６７Ａは中心線Ｐよりも上側に配置され、当接部６７Ｂは中心線Ｐよりも下側に配置される。ここで、開口部８７１の上下方向の中央の点Ｃと中心線Ｐとを通る仮想平面Ｖを定義する。この場合、係止部８７Ａ、８７Ｂは、仮想平面Ｖに対して上下方向に対称的に配置される。当接部６７Ａ、６７Ｂは、仮想平面Ｖに対して上下方向に対称的に配置される。
【００４４】
図２に示すように、軸受６Ｂの左側にギア６５が固定される。プラテンローラ６０及び軸受６がホルダ８０に組付けられた状態で、一対の貫通孔８１Ｂ（図５参照）のそれぞれに螺子６８１Ａが下側から挿通される。ホルダ８０は、プラテンローラ６０及び軸受６が組付けられた状態で、螺子６８１Ａによって第２カバー３の第２部分３１Ｂに固定される。
【００４５】
＜第２カバー３の開閉動作＞
図２に示すように、第２カバー３は、突出部３１１の穴に挿通された軸部２５２を中心として、第１カバー２に回転可能に支持される。軸部２５２に装着されたばね２５３（図３参照）は、閉塞位置（図１参照）から開放位置（図２参照）に向けて第２カバー３を付勢する。ばね２５３の付勢力に逆らって第２カバー３が反時計回り方向に回転した場合、第２カバー３は閉塞位置（図１参照）に移動する。図１に示すように、閉塞位置において、第１カバー２の端部２１Ａと第２カバー３の第２部分３１Ｂの前端部とは近接し、それぞれの間に排出口２０が形成される。印刷装置１の内部で印刷された印刷媒体は、排出口２０を介して外部に排出される。
【００４６】
図７に示すように、閉塞位置において、プラテンローラ６０は、内壁部２７（図３参照）に設けられたサーマルヘッド２１Ｐ（図３参照）に対向する。プラテン６１は、サーマルヘッド２１Ｐとの間に印刷媒体が配置された場合、サーマルヘッド２１Ｐに印刷媒体を押し付けることが可能となる。ギア６５は、非図示のモータの回転に応じて回転する。ギア６５が回転することに応じ、プラテン６１は連動して回転する。プラテン６１は、サーマルヘッド２１Ｐに印刷媒体を押し付けながら、排出口２０に向けて印刷媒体を搬送可能となる。
【００４７】
図４に示すように、軸受６Ａは、支持部７Ａの凹部７１Ａに上側から係合する。制限状態の規制部材９１の突出部９１Ａは、軸受６Ａに上側から接触する。図７に示すように、軸受６Ｂは、支持部７Ｂの凹部７２Ａ（図３参照）に上側から係合する。制限状態の規制部材９２の突出部９２Ａは、軸受６Ｂに上側から接触する。これらによって、プラテンローラ６０の上側への移動は規制機構９によって制限される。規制機構９は、第２カバー３を閉塞位置に維持し、ばね２５３の付勢力によって第２カバー３が開放位置に向けて回転することを制限する。
【００４８】
閉塞位置において、レバー２３Ｌ（図１参照）を下側に移動させる操作が行われ、規制部材９１、９２が非制限状態となった場合、規制部材９１の突出部９１Ａは、支持部７Ａの凹部７１Ａに対して後側に配置される。規制部材９２の突出部９２Ａは、支持部７Ｂの凹部７２Ａに対して後側に配置される。軸受６の上側に向かう方向は、規制機構９によって制限されない状態になる。第２カバー３は、ばね２５３の付勢力によって時計回り方向に回転する。第２カバー３が時計回り方向に回転した場合、第１カバー２は開放位置（図２参照）に移動する。
【００４９】
＜本実施形態の主たる作用、効果＞
印刷装置１の落下に伴い、ホルダ８０の嵌合部８に嵌合した状態の軸受６に対して開口部８７１に向かう方向Ｙ１１（図６参照）の外力が作用する場合がある。例えば、印刷装置１が後側の壁部２５を下側に向けた状態で落下した場合、軸受６には、開口部８７１に向かう方向と反対方向の移動が規制部材９１、９２によって制限されることに応じて、方向Ｙ１１の外力が作用する。
【００５０】
この場合、軸受６の一対の当接部６７は一対の係止部８７に当接し、一対の係止部８７を方向Ｙ１１の方向に押圧する。これによって、一対の係止部８７は、開口部８７１が小さくなる方向Ｙ１２（図６参照）に変形する。開口部８７１が小さくなると、軸受６は一対の係止部８７によって移動不能に係止され、方向Ｙ１１への移動は抑制される。つまり、印刷装置１は、一対の係止部８７の変形によって、軸受６が方向Ｙ１１に移動することを抑制できる。従って、印刷装置１は、軸受６に作用する外力によって、軸受６が開口部８７１を介して嵌合部８から外れることを、一対の係止部８７の変形によって抑制できる。
【００５１】
一対の係止部８７は、第１傾斜面８７２Ａ、８７２Ｂを有する。方向Ｙ１１の外力が軸受６に作用した場合、第１傾斜面８７２Ａ、８７２Ｂには、一対の当接部６７の第２傾斜面６７２Ａ、６７２Ｂが当接する。ここで、第１傾斜面８７２Ａ、８７２Ｂは、開口部８７１に向かう程、受け部８６の内側に向けて傾斜する。この場合、一対の係止部８７は、開口部８７１が小さくなる方向Ｙ１２に変形し易くなる。従って、印刷装置１は、軸受６に作用する外力によって軸受６が嵌合部８から外れることを、開口部８７１を適切に小さくすることで効果的に抑制できる。
【００５２】
係止部８７Ａ、８７Ｂは、仮想平面Ｖに対して上下方向に対称的に配置される。同様に、当接部６７Ａ、６７Ｂは、仮想平面Ｖに対して上下方向に対称的に配置される。このため、一対の当接部６７は、仮想平面Ｖの上下両側で一対の係止部８７に当接する。又、一対の当接部６７が一対の係止部８７に当接した場合、一対の係止部８７は仮想平面Ｖの上下方向で均等に変形する。従って、印刷装置１は、仮想平面Ｖに対して開口部８７１を上下方向で均等に小さくすることができるので、軸受６に作用する方向Ｙ１１の外力によって軸受６が嵌合部８から外れることを効果的に抑制できる。
【００５３】
プラテンローラ６０がホルダ８０に組付けられる場合、回転軸６２は、嵌合部８の開口部８７１から挿入され、嵌合部８の受け部８６の内側に配置される。ここで、開口部８７１の間隔Ｌ１は、回転軸６２の外径Ｌ２よりも大きい。このため、開口部８７１を介して受け部８６の内側に回転軸６２を容易に挿入させることが可能となる。又、受け部８６の内側に配置した回転軸６２に対して、軸受６を容易に組み付けることが可能となる。
【００５４】
嵌合部８に軸受６が嵌合した状態で、受け部８６の第２内壁面８６２と軸受６の第２外周面６６２との間、及び、受け部８６の第２内壁面８６３と軸受６の第２外周面６６３との間に、隙間が形成されている。この隙間によって、一対の係止部８７は、開口部８７１が小さくなる方向Ｙ１２（図６参照）に変形し易くなる。その理由は、一対の係止部８７が変形することに伴って受け部８６の内壁面８６２、８６３が内側に変形しても、この隙間により、内壁面８６２、８６３は第２外周面６６２、６６３に当接しないからである。即ち、内壁面８６２、８６３は、内側に変形するとき、第２外周面６６２、６６３に妨げられない。従って、印刷装置１は、一対の係止部８７を容易に変形させることができるので、軸受６が開口部８７１を介して嵌合部８から外れることを効果的に抑制できる。
【００５５】
＜第１変形例＞
本発明の第１変形例について説明する。第１変形例は、軸受６の一対の当接部６７の第２傾斜面６７２Ａ、６７２Ｂの角度が、上記実施形態と異なる。
【００５６】
図８に示すように、軸受６Ａを右側から見た場合において、上下方向に対して第２傾斜面６７２Ａ、６７２Ｂのなす角度を、それぞれ第５角度θ５とする。図８において、上下方向に対して第２傾斜面６７２Ｂのなす第５角度θ５のみ示し、上下方向に対して第２傾斜面６７２Ａのなす第５角度θ５の図示は省略する。
【００５７】
第５角度θ５は、一対の係止部８７の第１傾斜面８７２Ａ、８７２Ｂのなす第１角度θ１よりも大きい。このため、嵌合部８Ａの受け部８６に軸受６Ａが嵌合した状態で、第１傾斜面８７２Ａ及び第２傾斜面６７２Ａ、並びに、第１傾斜面８７２Ｂ及び第２傾斜面６７２Ｂは、それぞれ密着せず、間に隙間が形成される。以下、当接部６７Ａのうち第２外周面６６２と第２傾斜面６７２Ａとの連結部を、「突端部６７３Ａ」という。当接部６７Ｂのうち第２外周面６６３と第２傾斜面６７２Ｂとの連結部を、「突端部６７３Ｂ」という。
【００５８】
印刷装置１の落下に伴い、開口部８７１に向かう方向Ｙ２１の外力が軸受６に作用する場合、当接部６７Ａの突端部６７３Ａは、係止部８７Ａの第１傾斜面８７２Ａの上端部の近傍に当接し、当接部６７Ｂの突端部６７３Ｂは、係止部８７Ｂの第１傾斜面８７２Ｂの下端部の近傍に当接する。一対の当接部６７の突端部６７３Ａ、６７３Ｂは、それぞれ、一対の係止部８７の第１傾斜面８７２Ａ、８７２Ｂを押圧する。つまり、第１変形例では、上記実施形態と異なり、一対の当接部６７が一対の係止部８７を押圧する力が、突端部６７３Ａ、６７３Ｂが第１傾斜面８７２Ａ、８７２Ｂに接触する部分に集中する。従って、一対の係止部８７は、開口部８７１が小さくなる方向Ｙ２２に変形し易くなる。このため、印刷装置１は、軸受６に作用する外力によって、軸受６が嵌合部８から外れることを、一対の係止部８７の変形によってより効果的に抑制できる。
【００５９】
＜第２変形例＞
本発明の第２変形例について説明する。第２変形例は、軸受６の一対の当接部６７の第２傾斜面６７２Ａ、６７２Ｂの角度が、上記実施形態と異なる。又、軸受６の当接部６７Ａの上端部、及び、当接部６７Ｂの下端部のそれぞれの形状が、上記実施形態と異なる。
【００６０】
図９に示すように、軸受６Ａを右側から見た場合において、第２傾斜面６７２Ａ、６７２Ｂは、上下方向と略平行に延びる。このため、上下方向に対して第２傾斜面６７２Ａ、６７２Ｂのなす角度は、一対の係止部８７の第１傾斜面８７２Ａ、８７２Ｂのなす第１角度θ１よりも小さい。更に、軸受６Ａを右側から見た場合において、当接部６７Ａの第２傾斜面６７２Ａの上端部に、前側に向けて突出する第１突起部６７４Ａが設けられる。当接部６７Ｂの第２傾斜面６７２Ｂの下端部に、前側に向けて突出する第１突起部６７４Ｂが設けられる。嵌合部８の受け部８６に軸受６が嵌合した状態で、第１傾斜面８７２Ａ及び第２傾斜面６７２Ａ、並びに、第１傾斜面８７２Ｂ及び第２傾斜面６７２Ｂは、それぞれ密着せず、間に隙間が形成される。
【００６１】
印刷装置１の落下に伴い、開口部８７１に向かう方向Ｙ３１の外力が軸受６に作用する場合、当接部６７Ａの第１突起部６７４Ａは、係止部８７Ａの第１傾斜面８７２Ａの上端部の近傍に当接し、当接部６７Ｂの第１突起部６７４Ｂは、係止部８７Ｂの第１傾斜面８７２Ｂの下端部の近傍に当接する。第１突起部６７４Ａ、６７４Ｂは、それぞれ、第１傾斜面８７２Ａ、８７２Ｂを押圧する。つまり、第２変形例では、第１変形例と同様、一対の当接部６７が一対の係止部８７を押圧する力が、第１突起部６７４Ａ、６７４Ｂが第１傾斜面８７２Ａ、８７２Ｂに接触する部分に集中する。従って、一対の係止部８７は、開口部８７１が小さくなる方向Ｙ３２に変形し易くなる。このため、印刷装置１は、軸受６に作用する外力によって、軸受６が嵌合部８から外れることを、一対の係止部８７を変形し易くすることによって効果的に抑制できる。
【００６２】
＜第３変形例＞
本発明の第３変形例について説明する。第３変形例は、受け部８６の係止部８７Ａの下端部、及び、係止部８７Ｂの上端部のそれぞれの形状が、上記実施形態と異なる。
【００６３】
図１０に示すように、軸受６Ａを右側から見た場合において、係止部８７Ａの第１傾斜面８７２Ａの下端部に、後側に向けて突出する第２突起部８７３Ａが設けられる。係止部８７Ｂの第１傾斜面８７２Ｂの上端部に、後側に向けて突出する第２突起部８７３Ｂが設けられる。嵌合部８の受け部８６に軸受６が嵌合した状態で、第１傾斜面８７２Ａ及び第２傾斜面６７２Ａ、並びに、第１傾斜面８７２Ｂ及び第２傾斜面６７２Ｂは、それぞれ密着せず、間に隙間が形成される。
【００６４】
印刷装置１の落下に伴い、開口部８７１に向かう方向Ｙ４１の外力が軸受６に作用する場合、係止部８７Ａの第２突起部８７３Ａは、当接部６７Ａの第２傾斜面６７２Ａの下端部の近傍に当接し、係止部８７Ｂの第２突起部８７３Ｂは、当接部６７Ｂの第２傾斜面６７２Ｂの上端部の近傍に当接する。一対の当接部６７のうち、第２突起部８７３Ａ、８７３Ｂと当接する部分は、それぞれ、一対の係止部８７の第２突起部８７３Ａ、８７３Ｂを押圧する。つまり、第３変形例では、一対の当接部６７が一対の係止部８７を押圧する力が、第２突起部８７３Ａ、８７３Ｂの部分に集中する。従って、一対の係止部８７は、開口部８７１が小さくなる方向Ｙ４２に変形し易くなる。このため、印刷装置１は、軸受６に作用する外力によって、軸受６が嵌合部８から外れることを、一対の係止部８７を変形し易くすることによって効果的に抑制できる。
【００６５】
＜その他の変形例＞
本発明は上記実施形態に限定されず、種々の変更が可能である。第１傾斜面８７２Ａ、８７２Ｂの第１角度θ１と、第２傾斜面６７２Ａ、６７２Ｂの第２角度θ２は、略同一の角度であったが、略同一の角度でなくてもよい。何れか一方の角度が、他方の角度よりも僅かに大きい又は僅かに小さくてもよい。一対の係止部８７の第１傾斜面８７２Ａ、８７２Ｂは、それぞれ、開口部８７１に向かう程、受け部８６の内側に向けて傾斜しなくてもよい。例えば、第１傾斜面８７２Ａ、８７２Ｂは、それぞれ、開口部８７１に向かう程、受け部８６の内側と反対側に向けて傾斜してもよい。又、例えば、第１傾斜面８７２Ａ、８７２Ｂは、上下方向と平行に延びてもよい。
【００６６】
一対の係止部８７（係止部８７Ａ、８７Ｂ）は、仮想平面Ｖに対して上下方向に非対称となる形状を有してもよい。同様に、一対の当接部６７（当接部６７Ａ、６７Ｂ）は、仮想平面Ｖに対して上下方向に非対称となる形状を有していてもよい。一対の係止部８７（係止部８７Ａ、８７Ｂ）の何れか一方のみが、嵌合部８に設けられてもよい。又、嵌合部８が係止部８７Ａのみ有する場合、軸受６には、当接部６７Ａのみ設けられてもよい。一方、嵌合部８が係止部８７Ｂのみ有する場合、軸受６には、当接部６７Ｂのみ設けられてもよい。
【００６７】
回転軸６２の外径Ｌ２は、開口部８７１の上下方向の間隔Ｌ１と略同一であってもよいし、外径Ｌ２の方が間隔Ｌ１よりも僅かに大きくてもよい。例えば、開口部８７１を介して受け部８６の内側に回転軸６２を挿入するとき、開口部８７１は、回転軸６２から力を受けて広がることによって、間隔Ｌ１の方が外径Ｌ２よりも大きくなってもよい。
【符号の説明】
【００６８】
１        ：印刷装置
６、６Ａ、６Ｂ      ：軸受
８、８Ａ、８Ｂ      ：嵌合部
６０      ：プラテンローラ
６２      ：回転軸
６４      ：貫通孔
６７、６７Ａ、６７Ｂ    ：当接部
８０      ：ホルダ
８６      ：受け部
８７、８７Ａ、８７Ｂ    ：係止部
６７２Ａ、６７２Ｂ  ：第２傾斜面
６７４Ａ、６７４Ｂ  ：第１突起部
８７１    ：開口部
８７２Ａ、８７２Ｂ  ：第１傾斜面
８７３Ａ、８７３Ｂ  ：第２突起部
【図１】
2018069544.tif 000003
【図２】
2018069544.tif 000004
【図３】
2018069544.tif 000005
【図４】
2018069544.tif 000006
【図５】
2018069544.tif 000007
【図６】
2018069544.tif 000008
【図７】
2018069544.tif 000009
【図８】
2018069544.tif 000010
【図９】
2018069544.tif 000011
【図１０】
2018069544.tif 000012